(57)【要約】      （修正有）【課題】サンプルの位置を変えることなくサンプルに対して位置合わせできるサンプルへの携帯インタフェースを与えるように構成される携帯光コヒーレンストモグラフィ（ＯＣＴ）装置を提供する。【解決手段】ＯＣＴエンジン１００と通信する携帯走査インタフェース装置を含む携帯ハウジング１０１であって、携帯走査インタフェース装置は、同一平面上にない少なくとも２つの方向において光を走査するように構成された少なくとも１つのミラーを含み、眼の構造から散乱され、あるいは反射された光を受けるように構成される携帯ハウジング１０１と、携帯走査インタフェース装置を含む携帯ハウジング１０１をＯＣＴエンジン１００に接続し、ＯＣＴエンジン１００からの光を携帯走査インタフェース装置に導くように構成された光ファイバと、携帯ハウジング１０１を眼の構造に、前記被写体を安定させるための顎当てを用いることなく、位置合わせする手段とを有する。【選択図】図１
2013056171.tif 000002
【特許請求の範囲】
【請求項１】
被写体の光コヒーレンストモグラフィ（ＯＣＴ）画像を生成するために使用されるデータを取得するように構成された光学素子及びエレクトロニクスを含むＯＣＴエンジンと、
前記ＯＣＴエンジンと通信する携帯走査インタフェース装置を含む携帯ハウジングであって、前記携帯走査インタフェース装置は、同一平面上にない少なくとも２つの方向において光を走査するように構成された少なくとも１つのミラーと、該少なくとも１つのミラーに結合された少なくとも１つのレンズセットと、を含み、前記少なくとも１つのミラーからの光を受け、該受けた光を前記被写体の眼の構造に合焦させ、該眼の構造から散乱され、あるいは反射された光を受けるように構成される、携帯ハウジングと、
前記携帯走査インタフェース装置を含む携帯ハウジングを前記ＯＣＴエンジンに接続し、該ＯＣＴエンジンからの光を前記携帯走査インタフェース装置に導くように構成された光ファイバと、
前記携帯走査インタフェース装置を含む携帯ハウジングを前記眼の構造に、前記被写体を安定させるための顎当てを用いることなく、位置合わせする手段と、
前記携帯走査インタフェース装置と前記眼の構造との間の間隔を、前記被写体を安定させるための顎当てを用いることなく、制御する手段と、
前記眼の構造を撮像するための取得パラメータを設定する手段と、
リアルタイムで前記眼の構造の３次元的ＯＣＴ画像データを取得し、処理し、表示する手段と、
前記被写体を安定させるための顎当てを用いない撮像中に発生する、前記ＯＣＴエンジンを前記携帯走査インタフェース装置を含む携帯ハウジングに接続する前記光ファイバにおける変化に対して、前記ＯＣＴ画像を相対的に鈍感にする手段と、
を備える眼科用光コヒーレンストモグラフィ（ＯＣＴ）システム。
【請求項２】
前記携帯走査インタフェース装置は、サンプルと物理的な接触を行なわない非接触プローブを備え、該非接触プローブは、該非接触プローブ用に構成された第１のレンズセットを更に備える、請求項１に記載のシステム。
【請求項３】
前記携帯走査インタフェース装置は、サンプルと物理的な接触を行なうように構成された接触プローブを備え、該接触プローブは、該接触プローブ用に構成された第２のレンズセットを更に備える、請求項１に記載のシステム。
【請求項４】
前記携帯走査インタフェース装置と一体化された前記携帯ハウジング内のディスプレイを更に備え、該携帯走査インタフェース装置と該一体ディスプレイとは、前記ＯＣＴエンジンと通信するように構成される、請求項１に記載のシステム。
【請求項５】
前記携帯走査インタフェース装置は、前記ＯＣＴエンジンと通信する前記携帯走査インタフェース装置の動作を制御するように構成された前記携帯ハウジング内の一体ユーザインタフェースを更に備える、請求項１に記載のシステム。
【請求項６】
前記ＯＣＴエンジンを前記携帯走査インタフェース装置を含む携帯ハウジングに接続する前記光ファイバにおける変化に対して、前記ＯＣＴ画像を相対的に鈍感にする手段が、単一の光ファイバを共有する基準アームとサンプルアームとを備える、請求項１に記載のシステム。
【請求項７】
眼科用光コヒーレンストモグラフィ（ＯＣＴ）システムであって、
ＯＣＴエンジンと、
携帯走査インタフェース装置と一体ディスプレイとを含む携帯ハウジングであって、前記携帯走査インタフェース装置は、少なくとも１つの光ファイバによって前記ＯＣＴエンジンに接続され、前記システムによって取得されるＯＣＴ画像を、前記携帯ハウジングを前記ＯＣＴエンジンに接続する前記少なくとも１つの光ファイバにおいて撮像中に発生する変化に対して、相対的に鈍感にする手段を含む、携帯ハウジングと、
を備え、
前記システムによって取得されるＯＣＴ画像を変化に対して相対的に鈍感にする手段は、被写体を安定させるための顎当ての使用を含まず、
前記システムによって取得されるＯＣＴ画像を変化に対して相対的に鈍感にする手段は、一体基準アームを備え、サンプルアームと該基準アームとは、単一の光ファイバを共有して、歪みを実質的に低減する、眼科用ＯＣＴシステム。
【請求項８】
前記携帯走査インタフェース装置は、該携帯走査インタフェース装置と通信する前記ＯＣＴエンジンの動作を制御するように構成されたユーザインタフェースを更に備える、請求項７に記載のＯＣＴシステム。
【請求項９】
前記動作は、画像取得をトリガすること、走査パターンを制御すること、走査レートを制御すること、及び画像処理オプションを制御すること、のうちの少なくとも１つを含み、前記ユーザインタフェースは、
前記サンプルの画像を取得するように構成された画像取得トリガと、
走査パターン、走査範囲、走査レート、および／または画像処理オプションを調整するように構成された少なくとも１つの制御装置と、
を備える、請求項８に記載のＯＣＴシステム。
【請求項１０】
前記ディスプレイは、前記サンプルのリアルタイム画像、前記サンプルの保存画像、システムオプション、システムモード、およびシステムエラーメッセージ、のうちの少なくとも１つを表示するように構成される、請求項７に記載のＯＣＴシステム。
【請求項１１】
前記一体ディスプレイは、前記携帯走査インタフェース装置の側面に対して実質的に垂直に装着されるか、前記携帯走査インタフェース装置の側面から展開されるか、あるいは、前記携帯走査インタフェース装置の背面に装着されるか、するように構成される、請求項７に記載のＯＣＴシステム。
【請求項１２】
眼科用光コヒーレンストモグラフィ（ＯＣＴ）システムであって、
携帯走査インタフェース装置と該携帯走査インタフェース装置と一体化された基準アームとを含む携帯ハウジングであって、該携帯走査インタフェース装置および該一体基準アームは、ＯＣＴエンジンと通信するように構成される、携帯ハウジング、
を備え、
前記システムは、画像の歪みを実質的に低減する手段を更に含み、
前記歪みを実質的に低減する手段は、前記システムのサンプルアームと単一の光ファイバを共有する前記一体基準アームを含む、システム。
【請求項１３】
前記携帯走査インタフェース装置はビームスプリッタを備え、該ビームスプリッタは、光を受け、該光の一部を前記携帯走査インタフェース装置の前記基準アームの光路に供給し、前記光の残りの部分を前記サンプルアームの光路に供給するように構成される、請求項１２に記載のシステム。
【請求項１４】
前記ビームスプリッタは、前記携帯走査インタフェース装置の前記基準アームの光路と前記サンプルアームの光路とから光を受け、前記基準アームの光路と前記サンプルアームの光路とからの光を再び組み合わせ、該組み合わされた光を、処理のため、前記携帯走査インタフェース装置と通信するＯＣＴエンジンに供給するように更に構成される、請求項１３に記載のシステム。
【請求項１５】
光学エンジン、および該光学エンジンに接続された光ファイバと、
光コヒーレンストモグラフィ画像のリアルタイム表示を行うよう構成され、携帯ハウジング内に配置されたディスプレイと、
被写体を再位置決めすることなく、該被写体に位置合わせされるよう構成され、前記携帯ハウジング内に設けられた携帯走査インタフェース装置と、
を備え、
前記携帯ハウジングは、
前記光学エンジンと接続する前記光ファイバへの接続部と、
前記光ファイバからの光を受けるように構成された視準アセンブリと、
前記視準アセンブリから向けられた光を同一平面上にない少なくとも２つの方向において光を走査するように構成された少なくとも１つのミラーと、
同一平面上にない少なくとも２つの方向において前記被写体の眼の構造を走査し、該眼の構造から散乱された光を受けるように構成された前記少なくとも１つのミラーからの光を合焦させるように構成された少なくとも１つのレンズセットと、
を備え、
前記システムは、画像の歪みを実質的に低減する手段を更に備え、
前記歪みを実質的に低減する手段は、前記システムのサンプルアームと単一の光ファイバを共有する一体基準アームを含む、眼科用光コヒーレンストモグラフィ撮像システム。
【請求項１６】
前記携帯走査インタフェース装置の前記少なくとも１つのレンズセットは、前記被写体と物理的な接触を行わず、
前記少なくとも１つのレンズセットは、前記被写体の眼の非接触撮像用に構成されたレンズセットを更に備える、請求項１５に記載のシステム。
【請求項１７】
前記携帯走査インタフェース装置の前記少なくとも１つのレンズセットは、前記被写体と物理的な接触を行なうように構成され、
前記少なくとも１つのレンズセットは、前記被写体の眼の撮像用に構成されたレンズセットを更に備える、請求項１５に記載のシステム。
【請求項１８】
前記携帯走査インタフェース装置は、少なくとも２つの異なるレンズセットを受けるように更に構成される、請求項１５に記載のシステム。
【請求項１９】
前記携帯走査インタフェース装置は、前記少なくとも２つのレンズセットの１つを受けるように構成され、
前記少なくとも２つのレンズセットの少なくとも１つは、網膜を撮像するように構成され、
前記少なくとも２つのレンズセットの少なくとも１つは、角膜を撮像するように構成される、請求項１８に記載のシステム。
【請求項２０】
前記携帯走査インタフェース装置は、前記少なくとも２つのレンズセットの１つを受けるように構成され、
前記少なくとも２つのレンズセットの少なくとも１つは、サンプルと物理的な接触を行うことなく該サンプルを撮像するように構成され、
前記少なくとも２つのレンズセットの少なくとも１つは、サンプルと物理的な接触を行って該サンプルを撮像するように構成される、請求項１８に記載のシステム。
【請求項２１】
前記携帯走査インタフェース装置は、
光を受け、該光の一部を前記基準アームの光路に供給し、前記光の残りの部分を、光を同一平面上にない少なくとも２つの方向で前記眼の構造において走査するように構成された少なくとも１つのミラーに供給するように構成されたビームスプリッタを含む一体基準アーム、
を更に備える、請求項１５に記載のシステム。
【請求項２２】
前記リアルタイム表示を行うディスプレイおよび前記携帯走査インタフェース装置は、単一のユニットに一体化される、請求項１５に記載のシステム。
【請求項２３】
前記携帯走査インタフェース装置は、該携帯走査インタフェース装置と通信する光コヒーレンストモグラフィエンジンの動作を制御するように構成されたユーザインタフェースを更に備え、該動作は、画像取得をトリガすること、走査パターンを制御すること、走査レートを制御すること、及び画像処理オプションを制御すること、のうちの少なくとも１つを含む、請求項１５に記載のシステム。
【請求項２４】
眼科用光コヒーレンストモグラフィ（ＯＣＴ）システムであって、
被写体のＯＣＴ画像を生成するために使用されるデータを取得するように構成された光学素子及びエレクトロニクスを含むＯＣＴエンジンと、
前記ＯＣＴエンジンと通信する携帯走査インタフェース装置を含む携帯ハウジングであって、前記携帯走査インタフェース装置は、同一平面上にない少なくとも２つの方向において光を走査するように構成された少なくとも１つのミラーと、該少なくとも１つのミラーに結合された少なくとも１つのレンズセットと、を含み、前記少なくとも１つのミラーからの光を受け、該受けた光を前記被写体の眼の構造に合焦させ、該眼の構造から散乱され、あるいは反射された光を受けるように構成される、携帯ハウジングと、
前記携帯走査インタフェース装置を含む携帯ハウジングを前記ＯＣＴエンジンに接続し、該ＯＣＴエンジンからの光を前記携帯走査インタフェース装置に導くように構成された光ファイバと、
前記眼の構造を同一平面上にない少なくとも２つの方向において撮像する手持ち式手段と、
を備え、前記手持ち式手段は、
前記被写体を安定させるための顎当てを用いることなく、前記携帯走査インタフェース装置を含む携帯ハウジングを前記眼の構造に位置合わせする手段と、
前記携帯走査インタフェース装置と前記眼の構造との間の間隔を、前記被写体を安定させるための顎当てを用いることなく、制御する手段と、
を備える、システム。
【請求項２５】
前記眼の構造を撮像するための取得パラメータを設定する手段と、
リアルタイムで前記眼の構造のＯＣＴ画像データを取得し、処理し、表示する手段と、
前記被写体を安定させるための顎当てを用いない撮像中に発生する、前記ＯＣＴエンジンを前記携帯走査インタフェース装置を含む携帯ハウジングに接続する前記光ファイバにおける変化に対して、前記ＯＣＴ画像を相対的に鈍感にする手段と、
を更に備える、請求項２４に記載のシステム。
【請求項２６】
前記携帯走査インタフェース装置と一体化された前記携帯ハウジング内のディスプレイを更に備え、該携帯走査インタフェース装置と該一体ディスプレイとは、前記ＯＣＴエンジンと通信するように構成される、請求項２４に記載のシステム。
【請求項２７】
前記携帯走査インタフェース装置は、前記ＯＣＴエンジンと通信する該携帯走査インタフェース装置の動作を制御するように構成された、前記携帯ハウジング内の一体ユーザインタフェースを更に備える、請求項２４に記載のシステム。
【発明の詳細な説明】
【技術分野】
【０００１】
［優先権の主張］
本出願は、２００５年９月２９日に出願された米国仮出願第６０／７２１，６５７号（
代理人整理番号９５２６−６ＰＲ）による優先権を主張し、前記仮出願の開示内容は、参
照によりその全体が記載されるように本明細書に組み入れられる。
【０００２】
［発明の分野］
本発明は撮像に関する。本発明は、特に、光コヒーレンス撮像装置およびシステムに関
する。
【背景技術】
【０００３】
光コヒーレンストモグラフィ（ＯＣＴ）は、１９９０年代初期から存在しており、小動
物、眼、組織、ガラスなどのサンプルの撮像のための技術を提供する。近年の進歩は撮像
速度を高めてきている。これにより、比較的大きな画像セット（例えば、３Ｄボリューム
）を迅速に生成できる。ＯＣＴは、高速であり、一般に非接触および非破壊的であるため
、例えば１秒をかなり下回る短時間スケールにわたる動態（ショウジョウバエにおける心
管の鼓動）を例えば数日またはそれ以上の長い時間スケールにわたる変化（組織成長）に
おいて撮像することに適している。
【０００４】
ＯＣＴ撮像システムは、一般に、光学エンジンと、処理ユニットと、走査システムとを
含む幾つかのサブシステムに分けられる。走査システムは、撮像されるべきサンプルへの
インタフェースを与えてもよい。これまでのインタフェースは、ステレオズーム顕微鏡に
対するアタッチメントと、網膜撮像のためのテーブル装着システムとを含む。１つの網膜
撮像インタフェース、例えば、Ｃａｒｌ  Ｚｅｉｓｓ  ＭｅｄｉｔｅｃのＳｔｒａｔｕｓ
ＯＣＴ（商標）は、眼底カメラのように見える。このインタフェースは、患者のための顎
当てと、患者をＯＣＴ撮像システムと位置合わせするための機構とを有する。このシステ
ムでは、一般に、有用なＯＣＴ画像を得るため、移動でき、直立で、協力的な患者が必要
である。
【発明の開示】
【０００５】
本発明の幾つかの実施形態では、少なくとも２つの方向を走査するように構成される少
なくとも１つのミラーを含む携帯光コヒーレンストモグラフィ（ＯＣＴ）装置を提供する
。携帯ＯＣＴ装置は、サンプルの位置を変えることなくサンプルに対して位置合わせでき
るサンプルへの携帯インタフェースを与えるように構成される。
【０００６】
本発明の更なる実施形態では、携帯ＯＣＴ装置がＯＣＴプローブであってもよい。ＯＣ
Ｔプローブは、少なくとも２つの方向を走査するように構成される少なくとも１つのミラ
ーに対して結合されるリレーレンズセットを含んでもよい。
【０００７】
本発明の更なる実施形態において、ＯＣＴプローブは、サンプルと物理的な接触を行な
わない非接触プローブであってもよい。非接触プローブは、該非接触プローブのために構
成される第１のリレーレンズセットを更に含んでもよい。非接触プローブは、スペーサと
物理的な接触を行なうように構成されてもよく、また、スペーサは、サンプルと物理的な
接触を行なうように構成されてもよい。
【０００８】
本発明の幾つかの実施形態において、ＯＣＴプローブは、サンプルと物理的な接触を行
なうように構成された接触プローブであってもよい。接触プローブは、該接触プローブの
ために構成される第２のリレーレンズセットを更に含んでもよい。接触プローブは、第２
のリレーレンズセット上で保護カバーを受けるように構成されてもよい。また、保護カバ
ーは、サンプルと物理的な接触を行なうように構成されてもよい。
【０００９】
本発明の更なる実施形態において、ＯＣＴプローブは、２つ以上のリレーレンズセット
を受けるように構成されてもよい。特定の実施形態において、２つ以上のリレーレンズセ
ットのうちの第１のリレーレンズセットは、サンプルと物理的な接触を行なわない非接触
プローブのために構成されてもよい。２つ以上のリレーレンズセットのうちの第２のリレ
ーレンズセットは、サンプルと物理的な接触を行なう接触プローブのために構成されても
よい。更なる実施形態おいて、少なくとも２つのリレーレンズセットのうちの第１のリレ
ーレンズセットは、プローブ外部の最後の光学レンズ系を介して撮像するように構成され
てもよい。少なくとも２つのリレーレンズセットのうちの第２のリレーレンズセットは、
プローブ外部の光学レンズ系の助けを伴うことなく撮像するように構成されてもよい。
【００１０】
本発明の更なる実施形態では、ＯＣＴプローブが一体の基準アームを更に含んでもよい
。一体の基準アームを含むＯＣＴプローブがビームスプリッタを更に含んでもよい。ビー
ムスプリッタは、光を受けるとともに、光の一部を基準アームの光路へと供給し、光の残
りの部分を、サンプルの光路の少なくとも２つの方向を走査するように構成される少なく
とも１つのミラーへと供給するように構成されてもよい。
【００１１】
本発明の幾つかの実施形態において、ＯＣＴプローブは、該ＯＣＴプローブにわたって
少なくとも２つの異なる光路長を与えるように構成された光路長調整機構を含む。光路長
調整機構は、例えば、手動調整機構またはモータ駆動調整機構を含んでもよい。モータ駆
動調整機構は、例えば、機械的なネジ、機械的なスライダ及び／又はモータ駆動ネジを含
んでもよい。
【００１２】
本発明の更なる実施形態において、ＯＣＴプローブは、携帯プローブ、機械ブーム上に
装着されるように構成されたプローブまたはユーザの頭部に装着されるように構成された
プローブであってもよい。
【００１３】
本発明の更なる実施形態では、ディスプレイがＯＣＴプローブと一体であってもよい。
ＯＣＴプローブは、ディスプレイを動作させ且つＯＣＴプローブと通信するＯＣＴエンジ
ンの動作を制御するように構成されたユーザインタフェースを更に含んでもよい。
【００１４】
本発明の幾つかの実施形態において、ＯＣＴプローブは、該ＯＣＴプローブの先端に装
着されるように構成された部分反射要素を更に含む。部分反射要素は、コモンモード干渉
計のための反射としての機能を果たすように構成されてもよい。
【００１５】
本発明の更なる実施形態において、ＯＣＴプローブは、サンプル内部の反射に基づいて
コモンモード干渉計のための基準反射を生成するように構成されてもよい。
【００１６】
本発明の更なる実施形態において、ＯＣＴプローブは、拡張走査深さ多重化を可能にす
るように構成された多経路遅延線を更に含んでもよい。
【００１７】
本発明の幾つかの実施形態は、ＯＣＴエンジンおよび携帯ＯＣＴ装置を含む光コヒーレ
ンストモグラフィ（ＯＣＴ）システムを提供する。ＯＣＴエンジンは、光学素子、エレク
トロニクス及び／又はサンプルのＯＣＴ画像を生成するために使用されるデータを取得す
るように構成されたソフトウェアを含む。携帯ＯＣＴ装置は、ＯＣＴエンジンと通信する
とともに、少なくとも２つの方向を走査するように構成される少なくとも１つのミラーを
含む。携帯ＯＣＴ装置は、サンプルの位置を変えることなくサンプルに対して位置合わせ
できるサンプルへの携帯インタフェースを与えるように構成される。
【００１８】
本発明の更なる実施形態は、一体のディスプレイを備える携帯ＯＣＴ装置を提供する。
【００１９】
本発明の更なる実施形態において、携帯ＯＣＴ装置は、ディスプレイを動作させ且つ携
帯ＯＣＴ装置と通信するＯＣＴエンジンの動作を制御するように構成されたユーザインタ
フェースを更に含んでもよい。ユーザインタフェースは、サンプルの画像を取得するよう
に構成された画像取得トリガ及び／又は走査パターン、走査範囲、走査レート及び／又は
画像処理オプションを調整するように構成された制御装置を含んでもよい。ディスプレイ
は、サンプルのリアルタイム画像及び／又は保存画像、システムオプション、システムモ
ード及び／又はシステムエラーメッセージを表示するように構成されてもよい。
【００２０】
本発明の幾つかの実施形態において、ディスプレイは、携帯ＯＣＴ装置の側面に対して
略垂直に装着され、携帯ＯＣＴ装置の側面から展開され、携帯ＯＣＴ装置の背面に装着さ
れるように構成されてもよい。
【００２１】
本発明の更なる実施形態は、一体の基準アームを含む携帯ＯＣＴ装置を提供する。
【００２２】
本発明の更なる実施形態では、ＯＣＴプローブがビームスプリッタを含んでもよく、ビ
ームスプリッタは、光を受けるとともに、光の一部を携帯ＯＣＴ装置の基準アームの光路
へと供給し、光の残りの部分をサンプルの光路へと供給するように構成される。ビームス
プリッタは、基準アームの光路およびサンプルの光路からの光を受けるとともに、基準ア
ームの光路からの光とサンプルの光路からの光とを再び組み合わせ、組み合わされた光を
処理のために携帯ＯＣＴ装置と通信するＯＣＴエンジンへと供給するように更に構成され
てもよい。
【００２３】
本発明の更なる実施形態において、基準アームは、ゼロまたは１つ以上の回転ミラーと
、１つ以上の集束レンズと、ゼロまたは１つ以上の分散補償要素と、ゼロまたは１つ以上
の減衰要素と、反射ミラーとを含んでもよい。
【図面の簡単な説明】
【００２４】
【図１】本発明の幾つかの実施形態に係る携帯プローブを含む光コヒーレンストモグラフィ（ＯＣＴ）システムを示す概略ブロック図である。
【図２】本発明の幾つかの実施形態に係る接触携帯プローブを示す概略ブロック図である。
【図３】ＡおよびＢは、本発明の幾つかの実施形態に係る図１の携帯プローブの光学レンズセット構成を示す概略ブロック図である。
【図４】本発明の幾つかの実施形態に係るＯＣＴシステムで用いる非接触携帯プローブを示す概略ブロック図である。
【図５】本発明の幾つかの実施形態に係るスペーサと共に使用される非接触携帯プローブを示す概略ブロック図である。
【図６】ＡおよびＢは、本発明の幾つかの実施形態に係る図４および図５の非接触携帯プローブで用いる光学レンズセットを示す概略ブロック図である。
【図７】本発明の幾つかの実施形態に係るフレキシブルリレーと共に使用される携帯プローブを示す概略ブロック図である。
【図８】本発明の幾つかの実施形態に係る交換可能なレンズセットを含む携帯プローブを示す概略ブロック図である。
【図９】本発明の幾つかの実施形態に係る基準アームと一体の携帯プローブを示す概略ブロック図である。
【図１０】本発明の幾つかの実施形態に係る調整可能な光路長を有する携帯プローブを示す概略ブロック図である。
【図１１】本発明の幾つかの実施形態に係るＯＣＴシステムで用いる携帯プローブを示す概略ブロック図である。
【図１２】本発明の幾つかの実施形態に係るＯＣＴシステムで用いるヘッドマウントプローブを示す概略ブロック図である。
【図１３】本発明の幾つかの実施形態に係る制御装置及び／又はディスプレイと共に使用される携帯プローブを示す概略ブロック図である。
【図１４】本発明の幾つかの実施形態に係る、反射がプローブ内で起こるコモンモード経路設計を有する携帯プローブを示す概略ブロック図である。
【図１５】本発明の幾つかの実施形態に係る、反射がサンプル内で起こるコモンモード経路設計を有する携帯プローブを示す概略ブロック図である。
【図１６】本発明の幾つかの実施形態に係る拡張走査深さ多重化のための多経路遅延線を含む携帯プローブを示す概略ブロック図である。
【発明を実施するための形態】
【００２５】
ここで、本発明の例示的な実施形態が示される添付図面を参照して、本発明を更に十分
に説明する。しかしながら、本発明は、多くの異なる形態で具現化されてもよく、本明細
書に示される実施形態に限定されると解釈されるべきではなく、むしろ、これらの実施形
態は、この開示内容が十分で且つ完全であるとともに本発明の範囲を当業者に十分に伝え
るように与えられる。同様の参照符号は、全体にわたって同様の要素を示している。本明
細書で使用される用語「及び／又は」は、関連する記載された項目のうちの１つ以上の任
意の全ての組み合わせを含む。
【００２６】
本明細書で使用される単数形「１つの（ａ）」「１つの（ａｎ）」および「その（ｔｈ
ｅ）」は、他に明確に述べられていなければ、複数形も同様に含むと意図される。また、
言うまでも無く、用語「含む」「備える」「含んでいる」及び／又は「備えている」は、
本明細書中で使用される場合、述べられている特徴、整数、ステップ、動作、要素及び／
又は成分の存在を特定するが、１つ以上の他の特徴、整数、ステップ、動作、要素、成分
及び／又はそれらのグループの存在または付加を除外しない。要素が他の要素に対して「
接続される」或いは「結合される」と称される場合には、それを他の要素に対して直接に
接続でき或いは結合できまたは介在要素が存在してもよいことは言うまでもない。また、
本明細書で使用される「接続される」または「結合される」は、無線で接続され或いは結
合されることを含んでもよい。本明細書で使用される用語「及び／又は」は、関連する列
挙された項目のうちの１つ以上の任意および全ての組み合わせを含む。
【００２７】
本明細書では、様々な要素を説明するために第１および第２という用語が使用されるが
、これらの要素がこれらの用語によって限定されるべきでないことは言うまでもない。こ
れらの用語は、１つの要素を他の要素から区別するためにだけ使用される。したがって、
以下で説明される要素を第２の要素と称することができ、また、同様に、本発明の教示か
ら逸脱することなく、第２の要素が第１の要素と称されてもよい。
【００２８】
他に規定されなければ、本明細書で使用される全ての用語（技術用語および科学用語を
含む）は、本発明が属する当業者によって共通に理解される意味と同じ意味を有する。ま
た、言うまでも無く、辞書で一般に規定される用語などの用語は、関連技術に照らしたそ
れらの意味と一致する意味を有すると解釈されるべきであり、本発明でそのように明確に
規定されなければ、理想的な意味または過度に形式的な意味で解釈されない。
【００２９】
ここで、図１〜図１６を参照して、本発明の幾つかの実施形態について説明する。図示
のように、本発明の幾つかの実施形態は、光コヒーレンストモグラフィ（ＯＣＴ）撮像シ
ステムのための新規な走査インタフェースからなる。本発明の幾つかの実施形態に係る走
査インタフェースは、携帯することができ、携帯できてもよく、したがって、スキャナに
対して被写体を位置合わせする必要なく、スキャナが被写体に対して位置合わせされても
よい。本発明の幾つかの実施形態に係るインタフェースは、接触プローブ、非接触プロー
ブ、物理的スペーサを有する非接触プローブなどを含んでもよいがこれらに限定されない
様々な形態で設けられてもよく、その詳細については本明細書中で更に説明する。
【００３０】
ＯＣＴ撮像システムの従来の実施は、一般に、所定のサンプルインタフェースを有する
。この場合、サンプルは、ＯＣＴ画像を得るためにＯＣＴシステムからくる光の場所に位
置合わせされる。例えば、Ｃａｒｌ  Ｚｅｉｓｓ  Ｍｅｄｉｔｅｃは、サンプルインタフ
ェースがヘッドおよび患者用の顎当てを有する従来の眼底カメラのように見えるＳｔｒａ
ｔｕｓＯＣＴ（商標）を有する。画像を取得するため、患者の頭部が静止状態に設定され
るとともに、適切なＯＣＴ画像を得るために僅かな位置合わせが行なわれる。更なる例と
して、ＯＣＴ撮像システムは、システムがサンプルのＯＣＴ画像および拡大視像の両方を
与えるように顕微鏡と一体化されてもよい。顕微鏡は一般にＺ方向で上下に移動させるこ
とができるが、サンプルは、それをＯＣＴシステムと位置合わせするためにＸ方向および
Ｙ方向で移動される。
【００３１】
多くのサンプルにおいて、この形態のＯＣＴイメージンスシステムは機能するが、サン
プルをＯＣＴ撮像システムに対して位置合わせすることが非常に難しい或いは不可能でさ
えある種々のサンプルが存在する。したがって、本発明の幾つかの実施形態によれば、携
帯プローブ設計により、ＯＣＴ撮像システムのサンプルインタフェース部を動き回らせる
ことができ、それにより、サンプルをシステムに対して位置合わせするのではなく、サン
プルインタフェース部をサンプルと位置合わせさせることができてもよい。
【００３２】
本発明の幾つかの実施形態に係る手持ち式プローブなどの携帯プローブは、例えば、協
力的でない或いは寝たきりの人間の患者における網膜・角膜撮像において、幼児または子
供における網膜・角膜撮像において、マウス、ラット、ブタおよびサルを含む動物におけ
る網膜・角膜撮像において、口、耳、直腸などの狭い領域での撮像において、顕微鏡に適
合しないサンプルの撮像等において役立つ。本明細書に記載された用途が典型的な目的の
ためだけに与えられており、したがって、本発明の実施形態がこれらの例に限定されない
ことは言うまでもない。
【００３３】
本発明の幾つかの実施形態に係る携帯プローブは、それをユーザが保持し、移動させ、
制御することができるように軽量であってもよい。ＯＣＴシステムは、比較的コンパクト
であってもよく、したがって、場所を移動させることができる。現在のＯＣＴシステムは
一般に特定の位置に固定され、サンプルまたは患者がその位置へ移動されなければならな
い。本発明の幾つかの実施形態に係る携帯ＯＣＴシステムは、サンプルまたは患者の所ま
で運び込むことができる。これは、例えば、寝たきりの患者において特に有用であるとと
もに、動物を移動させることがその動物に関して難しい場合があり或いは感染または汚染
の機会を高める場合がある動物用途において有用である。本発明の幾つかの実施形態に係
る携帯プローブＯＣＴ撮像システムは、可動部をあまり伴わない比較的簡単で且つ頑強で
あってもよく、また、定期的な位置合わせ或いはメンテナンスを必要としなくてもよい。
【００３４】
本発明の幾つかの実施形態に係る携帯プローブは、例えば、接触プローブまたは非接触
プローブとなる。接触プローブは、プローブとサンプルとの間で物理的な接触を行なう。
本発明のこれらの実施形態によれば、撮像のために所望の位置でプローブの先端をサンプ
ル上に視覚的に配置できるため、位置合わせが比較的簡単である。本発明の幾つかの実施
形態では、プローブの汚染の可能性および１つのサンプルから他のサンプルへの材料の転
移を減らすために、プローブ上に、例えばプローブの端部上にわたって保護カバーが設け
られてもよい。保護カバーは、例えば、ガラス、プラスチックまたは他の適した材料を含
んでもよく、また、設計を柔軟または硬質にすることができる。本発明の幾つかの実施形
態において、保護カバーは、使い捨て、或いは単用のものであってもよい。すなわち、１
回使用後に処分されてもよい。しかしながら、保護カバーは、本発明の範囲から逸脱する
ことなく再使用できてもよい。本発明の幾つかの実施形態によれば、保護カバーは、滅菌
したものであってもよく、または、滅菌することができる。
【００３５】
本発明の幾つかの実施形態に係る非接触プローブは、サンプルと接触しない。本発明の
これらの実施形態は、意識のある人間の角膜または網膜撮像など、患者が自分の眼にプロ
ーブが物理的に接触することを望まない用途において有用である。また、非接触プローブ
は接触プローブと同じ汚染問題を引き起こさず、１つのサンプルから他のサンプルへの材
料の転移の可能性が減少される。また、プローブ先端とサンプルとの間に何らかの空間が
存在することにより、プローブは、ＯＣＴ光を、角膜撮像またはサンプルの表面上或いは
その近傍での撮像などの用途において有利であるスポットに合焦させることができる。
【００３６】
本発明の幾つかの実施形態に係る接触プローブまたは非接触プローブは、プローブ外部
の光学レンズ系の助けを伴うことなく撮像するように構成されてもよい。例えば、本発明
の幾つかの実施形態に係るプローブは、角膜または名目上サンプルの外面上の他の組織を
撮像するためのテレセントリック走査システムを備えてもよい。
【００３７】
更なる実施形態に係る接触プローブまたは非接触プローブは、プローブ外部の光学レン
ズ系の助けを伴って撮像するように構成されてもよい。例えば、本発明の幾つかの実施形
態によれば、プローブは、網膜を撮像するための非テレセントリック走査システムに構成
されてもよい。これらの実施形態において、プローブの光学素子は、対象の角膜及び／又
は対象の眼のレンズに関して適切な考慮がなされるときにだけ網膜の正確な撮像を行なう
ように設計される。
【００３８】
本発明の幾つかの実施形態は、非接触プローブに関連するスペーサを提供し、このスペ
ーサは、プローブとサンプルとの間の距離を制御する手段を備えてもよい。例えば、スペ
ーサは、携帯プローブに取り付けることができるとともに、サンプルと物理的に接触する
ことができる。スペーサは、ＯＣＴ光がサンプルを照らす場所から離れてサンプルと接触
するように構成されてもよい。角膜撮像において、スペーサは、それが患者の眼の周囲に
適合するように円形の形状を成すことができる。これにより、ユーザは、患者の眼に何も
接触させることなく、プローブを患者に位置合わせすることができ、望ましい。本発明の
幾つかの実施形態によれば、スペーサは、プローブが位置合わせされる場所をユーザがス
ペーサを通して見ることができるようにスロットまたは開口を有してもよく或いは光学的
に透明であってもよい。スペーサを含む本発明の実施形態は、ＯＣＴ光がプローブから出
て合焦される撮像システムにおいても有用である。プローブとサンプルとの間の距離を制
御することが重要である。これは、かなり狭い深さが存在し、この深さにわたってＯＣＴ
撮像が行なわれ、その深さの場所をサンプルの表面と位置合わせし或いは該表面の真下に
位置合わせする必要があるからである。スペーサは、本発明の範囲から逸脱することなく
、使い捨てできてもよく或いは再利用できてもよい。
【００３９】
典型的なＯＣＴ撮像システムは、一般に、赤外線または近赤外線であり、したがって、
ユーザが見ることが困難であり或いは不可能である光を使用する。ＯＣＴ光と共に伝搬す
る何らかの可視光をＯＣＴエンジンに加えることにより、ユーザは、ＯＣＴ画像がサンプ
ル上で取得されるべき場所を見ることができる。この可視光は、照準光と称されてもよく
、例えば、可視波長範囲のレーザまたは任意の他の光源によって生成されてもよい。この
照準光は、本発明の範囲から逸脱することなく、本明細書で説明される本発明の任意の実
施形態に関連して使用されてもよい。例えば、照準光は、本明細書で説明される本発明の
非接触の実施形態と関連させると有益かもしれない。この場合、ユーザは、ＯＣＴ画像が
取得されるべきサンプル上の場所を正確に知らなくてもよい。
【００４０】
ここで、図１〜図１６を参照して、本発明の様々な実施形態を説明する。最初に、図１
〜図３を参照して、本発明の幾つかの実施形態に係る接触プローブについて説明する。図
１に示されるように、システムは、携帯プローブ１０１に接続されるＯＣＴエンジン１０
０を含んでもよい。ＯＣＴエンジン１００は、光学素子、エレクトロニクス及び／又はＯ
ＣＴ画像を生成するために使用されるデータを取得するために用いられるソフトウェアを
含んでもよい。携帯プローブ１０１は、サンプルに対するインタフェースを備える。
【００４１】
図２は、本発明の幾つかの実施形態に係る携帯プローブ１０１’の様々な構成要素を示
している。光は、ＯＣＴエンジン（図示せず、図１の１００）から光ファイバ１１０に沿
って入る。光は、ファイバから出て、ハンドル１１５の底部にある視準アセンブリ１１１
を通過する。光は、視準されると、１つ以上の走査ミラー１１２によって向きが変えられ
るとともに、サンプル１１４へ向けてリレーレンズセット１１３を通過し続ける。光は、
サンプル１１４から散乱されるとともに、光ファイバ１１０へ向けて元の携帯プローブ１
０１’を通過して戻り、ＯＣＴエンジン（図示せず）に達する。
【００４２】
図２に示されるように、携帯プローブ１０１’とサンプル１１４との端部間には物理的
な接触が存在する。前述したように、本発明の幾つかの実施形態では、プローブ１０１’
上にわたって任意の保護カバー１１６が設けられてもよい。保護カバー１１６は、本発明
の範囲から逸脱することなく、使い捨てできてもよく或いは再使用できてもよい。保護カ
バー１１６は滅菌されてもよく或いは滅菌できてもよい。
【００４３】
ここで、図３Ａおよび図３Ｂを参照して、携帯プローブ１０１’にわたる光路および異
なる用途に適する異なるプローブのために想定し得る形態について説明する。光学系には
、幾つかのレンズ、例えば視準レンズ６００、２つの走査レンズ６０１および６０２、集
束レンズ６０３および接触レンズ６０４が存在してもよい。図３Ａおよび図３Ｂの携帯プ
ローブ１０１’が典型的な目的のためだけに与えられ、本発明の実施形態がこの構造に限
定されないことは言うまでもない。例えば、本発明の範囲から逸脱することなく、５個よ
りも少ない或いは多いレンズを有する他の光学レンズ列設計が使用されてもよい。サンプ
ルのタイプに基づいて様々なレンズの焦点距離が変えられてもよいことは言うまでもない
。例えば、図３Ａおよび図３Ｂで与えられる焦点距離はそれぞれ、人間の眼のサンプルお
よびラットの眼のサンプルのためのものである。
【００４４】
ここで、図４を参照して、本発明の幾つかの実施形態に係る携帯非接触プローブ１０１
”について説明する。図４に示されるように、非接触プローブ１０１”は図２に示される
接触プローブ１０１’に類似しているが、非接触プローブ１０１”は、実際にはサンプル
１１４と接触しない。したがって、本発明のこれらの実施形態では、リレーレンズセット
１２０’が接触プローブ１０１’用のリレーレンズセット１２０と異なってもよい。
【００４５】
前述したように、光は、光ファイバ１１０から非接触プローブ１０１”内に入り、ハン
ドル１１５の底部にある視準アセンブリ１１１を通過する。そこから、光は、走査ミラー
１１２によって方向付けられて、リレーレンズセット１２０’を通過するとともに、サン
プル１１４に入射する。光は、サンプル１１４によって散乱されて戻り、非接触プローブ
１０１”を通じてその光路を引き返した後、光ファイバ１１０へ戻る。
【００４６】
前述したように、非接触プローブ１０１”は、接触プローブ１０１とは異なるリレーレ
ンズセットを有してもよい。例えば、非接触プローブ１０１”の光学レンズセットは、図
６Ａおよび図６Ｂに示されるように構成されてもよい。図示のように、光学レンズ列系は
、視準レンズ６５０と複数の走査レンズ６５１および６５２とを含んでもよい。サンプル
に応じて、更なるレンズが使用されてもよい。角膜用途６６０のための図６Ａに示される
ように、サンプル上に光を合焦させるために集束レンズ６５３が使用される。網膜走査用
途では、図６Ｂに示されるように、光は、それがサンプル１１４に衝突するときに視準さ
れ、サンプル１１４の眼内のレンズによって合焦される。
【００４７】
ここで、図５を参照して、本発明の更なる実施形態に係る非接触プローブについて説明
する。図５に示されるように、非接触プローブ１０１”は、携帯プローブ１０１”の端部
にあるスペーサ１３０と共に使用される。スペーサ１３０は、光がプローブ１０１”から
サンプル１１４へと通過する位置から離れてサンプル１１４と接触する。スペーサ１３０
により、ユーザは、例えばサンプル１１４が眼である場合など、その場所が特に敏感であ
るために、ＯＣＴ画像が取得されるべきサンプルと実際に接触させることなく、携帯プロ
ーブ１０１”をサンプル１１４と位置合わせすることができるとともに、プローブ１０１
”をサンプル１１４に対して安定に保つことができる。スペーサ１３０と併せて使用され
る図５の非接触プローブ１０１”は、図４の非接触プローブ１０１”と同じリレーレンズ
セット１２０’、例えば図６Ａおよび図６Ｂのリレーレンズセット１２０’を使用しても
よい。前述したように、本発明の幾つかの実施形態において、スペーサ１３０は、サンプ
ル１１４上の所望の場所とＯＣＴ光との位置合わせを容易にするためにユーザがスペーサ
を通して見ることができるように、穴またはスロットを有してもよく或いは実際に透明ま
たは部分的に透明であってもよい。
【００４８】
ここで、図７を参照して、本発明の幾つかの実施形態に係るフレキシブルリレー系１４
０と共に使用される非接触プローブ１０１”について説明する。フレキシブルリレー系は
、リレーレンズセット１２０’からサンプル１１４へと向かう光およびサンプル１１４か
ら戻ってくる光の両方を伝えてもよい。このフレキシブルリレー系１４０は、例えば光フ
ァイバまたは柔軟な機械的パッケージ内のマルチレンズ系を使用して実施されてもよい。
光ファイバの実施は、１つ以上のシングルモードファイバ、１つ以上のマルチモードファ
イバ及び／又は各ファイバ内に複数のコアを有する１つ以上のファイバ（シングルモード
またはマルチモード）であってもよい。
【００４９】
ここで、図８を参照して、本発明の幾つかの実施形態に係る交換可能なレンズリレーを
含む携帯プローブについて説明する。交換可能なリレーは、本発明の幾つかの実施形態に
係る接触プローブ１０１’または非接触プローブ１０１”（本明細書では、総称して、プ
ローブ１０１と称する）と共に使用されてもよい。すなわち、単一の携帯プローブ１０１
は、対応するリレーレンズセット１５１および１５２をそれぞれ取り替えることにより接
触モードと非接触モードとの間で切り換わるように構成されてもよい。図８に示されるよ
うに、１つ以上のリレーレンズセット１５１、１５２は、同じ携帯プローブ１０１に対し
て接続することができる。リレーレンズセット１５１、１５２を携帯プローブ１０１に対
して接続できるようにするために共通のインタフェース１５０が使用される。本発明のこ
れらの実施形態により、ユーザは、携帯プローブ上のリレーレンズセット１５１、１５２
を交換することによりサンプルまたは画像のタイプ間を切り換えることができる。本発明
の幾つかの実施形態において、システムは、特定のリレーレンズセットを認識するととも
にシステムのリセットをセットアップしてその特定のリレーレンズセットに対応するよう
に構成されてもよい。これは、リレーレンズセットの接続時に自動的に行なわれてもよい
。
【００５０】
ここで、図９〜図１６を参照して、携帯プローブの様々な実施形態について説明する。
図９〜図１６が特定のプローブの実施形態、例えば接触または非接触プローブを示してい
るが、本発明の実施形態がこの構造に限定されないことは言うまでもない。図９〜図１６
に関連して説明される実施形態の特徴は、本発明の範囲から逸脱することなく、任意の実
施形態の携帯プローブと共に使用されてもよい。
【００５１】
ここで、図９を参照して、本発明の幾つかの実施形態に係る一体基準アームを有する携
帯プローブについて説明する。図９に示すように、携帯プローブは、一般にＯＣＴエンジ
ン（図示せず）に存在する基準アームを含む。光は、光ファイバ１１０を通じて携帯プロ
ーブ１０１内に入るとともに、ハンドル１１５の底部にある視準アセンブリ１１１を通過
して、ビームスプリッタ２００に入射する。ビームスプリッタ２００は光の一部をサンプ
ルアーム光路２２０へ送り、残りの光は基準アーム光路２２１に移る。ビームスプリッタ
の比率は任意の実現可能な値を取る。本発明の幾つかの実施形態では、より多くの光が基
準アーム光路２２１よりもサンプルアーム光路２２０の方を通過する。サンプルアーム光
路２２０において、光は、走査ミラー１１２によって方向付けられて、リレーレンズセッ
ト１１３を通過し、サンプル１１４へ至る。サンプル１１４によって散乱されて戻る光は
、サンプルアーム光路２２０を逆にたどってビームスプリッタ２００へ戻る。
【００５２】
ビームスプリッタ２００からの光の残りは、基準アーム光路２２１へ移動する。基準ア
ーム光路２２１は、ゼロ、１つまたはそれよりも多い回転ミラー２０１と、１つ以上の集
束レンズ２０２と、ゼロ、１つまたはそれよりも多い分散補償要素２０３と、ゼロ、１つ
またはそれよりも多い減衰要素２０４と、反射ミラー２０５とからなる。反射ミラー２０
５は、基準アーム光路２２１を引き返す光をビームスプリッタ２００へ送る。分散補償要
素２０３は、オプションであり、基準光路２２１内での分散をサンプル光路２２０内での
分散に厳密に一致させる必要がある場合に使用されてもよい。減衰要素２０４は、これも
オプションであり、非常に多くの出力が存在する場合に基準アーム２２１から戻る出力レ
ベルを減少させてもよい。反射ミラー２０５は、基準アーム光路長を調整できるように移
動できてもよく或いは移動できなくてもよい。この調整は、本発明の範囲から逸脱するこ
となく、ユーザにより手動で行なわれてもよく、あるいは、ＯＣＴシステムによって自動
で行なわれてもよい。
【００５３】
サンプルおよび基準アームからの光がビームスプリッタ２００に到達すると、光は、再
び組み合わされて、視準アセブリ１１１を通過し、光ファイバ１１０へ戻る。このポイン
トから、光は、取得および処理のためにＯＣＴエンジン（図示せず）に戻る。
【００５４】
図９に示される本発明の実施形態は、ＯＣＴエンジン（図示せず）を携帯プローブ１０
１に接続する光ファイバ１１０の変化に対して比較的影響されなくてもよい。また、これ
らの実施形態は、基準アームおよび基準アーム内の要素へのユーザアクセスを可能にして
もよい。これは、異なるサンプルに関して基準アーム内の要素が定期的に調整され或いは
変更される必要がある場合に特に有用であり得る。ユーザは、分散補償要素２０３などの
基準アーム内の構成要素を容易に交換することができ、あるいは、要素を変更することが
でき、例えば、シャッタ２０４によって減衰導入を変えることができまたはミラー位置２
０５を変えることにより基準の光路長を変えることができる。
【００５５】
ここで、図１０を参照して、本発明の幾つかの実施形態に係る調整可能な光路長を有す
るプローブについて説明する。図１０に示されるように、携帯プローブ１０１は、視準ア
センブリ１１１のための光路長調整機構２１０を有する。光路長調整機構２１０により、
ユーザは、携帯プローブ１０１にわたる光路長を変えて、ＯＣＴエンジン１００（図１）
またはサンプル１１４における光路長の他の変化を補償することができる。図１０に示さ
れる本発明の実施形態において、光路長調整機構２１０は、図１０に示されるハンドル１
１５の底部にあるノブによって駆動される機械的なネジなどのモータ駆動の調整機構であ
ってもよいが、本発明の実施形態はこの構造に限定されない。例えば、機械的なネジに代
えて、機械的なスライダおよびモータ駆動ネジが使用されてもよい。言うまでもなく、プ
ローブ内の他の位置で光路長が調整されてもよく、あるいは、光学材料にわたって電場を
印加することによりその屈折率が変えられてもよい電気光学装置などの他の機構によって
光路長が調整されてもよい。したがって、光路長調整機構は本明細書で説明される例によ
って限定されない。
【００５６】
ここで、図１１を参照して、本発明の幾つかの実施形態に係る機械的固定を含む携帯プ
ローブについて説明する。図１１に示されるように、携帯プローブ１０１は、ベースまた
はコンソール３０１に対して固定される機械ブームアーム３００上に装着される。機械ブ
ームアーム３００は、ユーザがプローブを保持する必要なく携帯プローブ１０１をサンプ
ル１１４と位置合わせするための方法を与える。軽量、移動が容易なプローブは、サンプ
ルに対するプローブの移動および固定を簡略化するために使用される。図１１に示される
本発明の実施形態において、機械ブームアーム３００は、ＯＣＴエンジン１００とディス
プレイコンピュータ３０２とを含むコンソール３０１に対して装着される。本発明の幾つ
かの実施形態は、機械ブームアームのための独立カートまたはＯＣＴエンジン１００のみ
を有し且つディスプレイコンピュータ３０２を有さないコンソールを含んでもよい。機械
ブームアーム３００は、移動が容易で且つ所与位置での固定が容易となるように平衡化さ
れてもよい。本発明の幾つかの実施形態において、機械的固定は、サンプルのためのホル
ダまたは固定機構と共に使用することができる。例えば、コンソール３０１に対して顎当
てを装着することができる。顎当て上に患者の頭部を配置することができるとともに、携
帯プローブを患者の眼と位置合わせするように移動させることができる。また、プローブ
を垂直な形態まで回転させることもでき、また、サンプルをコンソール３１０上または他
の表面上に配置させることができる。本発明の幾つかの実施形態において、コンソールは
、サンプルをＯＣＴシステムへ持って行くのではなく、場所間でのＯＣＴシステムの移動
を容易にするため、車輪を有してもよい。
【００５７】
ここで、図１２を参照して、本発明の幾つかの実施形態に係るヘッドマウントプローブ
について説明する。図１２に示されるように、携帯プローブは、ユーザ４０１が頭部装着
４００できるように再構成されている。光は、光ファイバ１１０を介してヘッドマウント
プローブ４００内に入り、視準アセンブリ１１１を通過する。そこから、光は、走査ミラ
ー１１２に当たって跳ね返った後、部分ミラー４０３で反射される。このミラー４０３は
、例えば、ＯＣＴエンジンからの光の波長範囲で反射し且つ可視波長領域で伝える部分的
に銀メッキされた或いはダイクロイックのミラーであってもよい。部分ミラー４０３の目
的は、ＯＣＴ光が伝わる光路をユーザがのぞくことができるようにすることであり、した
がって、サンプルとの位置合わせを簡略化させることができる。部分ミラー４０３の後、
光は、リレーレンズセット１２０を通過してサンプルへ至る。サンプルによって散乱され
た光は、それが光ファイバ１１０に到達するまで同じ経路に沿って引き返し、ＯＣＴエン
ジンへと戻る。オプションとして、ユーザ４０１のための画像を表示するために、画像プ
ロジェクタ４０２を使用できる。この画像は、サンプル１１４からのＯＣＴ画像であって
もよく、あるいは、ＯＣＴシステムのセットアップおよび状態に関する情報であってもよ
い。ヘッドマウントプローブ４００は、それを滑ることなく或いは疲れを伴うことなくユ
ーザが容易に装着できるように軽量であってもよい。
【００５８】
ここで、図１３を参照して、本発明の幾つかの実施形態に係る制御装置及び／又はディ
スプレイを有する携帯プローブについて説明する。図１３に示されるように、携帯プロー
ブ１０１は、ゼロ、１つまたはそれよりも多い制御装置５００と、ゼロ、１つまたはそれ
よりも多いビデオディスプレイ５０１とを有する。
【００５９】
制御装置５００は、ユーザがプローブからＯＣＴエンジンの動作を制御できるようにし
てもよい。これらの制御装置は、電子配線５０２を介してＯＣＴエンジンと通信する。本
明細書では電子配線５０２について説明されているが、当業者に知られる任意の手段によ
って装置間の通信を達成できることは言うまでもない。例えば、制御装置は、本発明の範
囲から逸脱することなく、ブルートゥースやＷｉＦｉなどの無線通信を使用してＯＣＴエ
ンジンと通信してもよい。
【００６０】
１つの特定の制御装置が画像取得トリガ５０３である。これにより、ユーザは、１つの
ボタン操作で、システムがサンプルの画像を取得する時期を制御することができる。他の
例としては、走査パターン、走査範囲、走査レート、画像処理オプション等のための制御
を挙げることができる。他の追加物は、携帯プローブの一部であってもよい１つ以上のオ
プションのビデオディスプレイ５０１である。このビデオディスプレイは、電子配線５０
２を介してＯＣＴエンジンと通信する。ディスプレイは、サンプルからのリアルタイムの
画像または保存画像を表示してもよい。オプション、モードなどのＯＣＴシステムに関す
る更なる情報が表示されてもよく、エラーメッセージが表示されてもよい。物理的に、ビ
デオディスプレイ５０１は、例えば、携帯プローブの側面に対して略垂直に装着され、プ
ローブの側面から展開され、プローブの背面（図１３では、制御装置が示されている場所
）に装着されるなどしてもよい。
【００６１】
図１３に示される本発明の実施形態は、ＯＣＴエンジン内で一般に起こる画像処理およ
び制御の一部を行なう更なるエレクトロニクスを携帯プローブ内に含んでもよい。例えば
、走査ミラーの制御、画像処理およびビデオディスプレイをサポートするための表示であ
る。エンジンとの通信は、個々のアナログまたはデジタルライン、あるいは、ＲＳ−２３
２、ＵＳＢ、ファイヤワイヤまたはイーサネット（登録商標）などの更に洗練された通信
であってもよい。
【００６２】
ここで、図１４を参照して、反射がプローブ内で起こるコモンモード経路設計を有する
携帯プローブについて説明する。光ファイバ１１０、視準アセンブリ１１１、走査ミラー
１１２およびレンズリレー光学素子１１３を有する携帯プローブについては本明細書で既
に説明した。したがって、本発明では、これらの要素の詳細について更に説明しない。図
１４に示されるように、コモンモード干渉計のための基準反射としての機能を果たす部分
反射要素６００がプローブ先端に設けられている（あるいは、撮像されるべきサンプルの
近傍に配置される）。コモンモード干渉計では、任意の振動源または他のノイズがアーム
間で共有され、したがって、インターフェログラムに影響を及ぼさないように、サンプル
に非常に近接するポイントまでサンプルおよび基準経路が共有されてもよい。部分反射要
素６００の反射率は、散弾雑音制限検出が達成され得るように検出器側で最適な基準出力
の可能性を高めるべく設計されてもよい。基準反射を超える撮像の深さは、使用されるス
ペクトル領域ＯＣＴシステムのスペクトル分解能によって、あるいは、使用される時間領
域ＯＣＴシステムの長さ走査によって制限されてもよい。
【００６３】
ここで、図１５を参照して、本発明の幾つかの実施形態に係るコモンモード経路設計を
有する携帯プローブについて説明する。図１５に示される携帯プローブ１０１は、コモン
モード干渉分光法のための基準反射を生成するためにサンプル６１０自体の内部の反射に
依存している。本発明の幾つかの実施形態において、基準反射は、それがサンプルの内側
にあるため、サンプルに近接していることが最適である。サンプルの表面での反射は、こ
の目的のため、例えば眼の表面での角膜表面反射のために使用されてもよい。本発明のこ
れらの実施形態において、表面反射の振幅は、サンプル表面上で特定の分極状態あるいは
入射角を有するようにプローブ光学素子を設計して所望の反射率の反射を生み出すことに
より信号対雑音比（ＳＮＲ）の最適な検出の可能性を高めるべく変更されてもよい。基準
反射を超える撮像の深さは、使用されるスペクトル領域ＯＣＴシステムのスペクトル分解
能によって、あるいは、使用される時間領域ＯＣＴシステムの長さ走査によって制限され
てもよい。
【００６４】
ここで、図１６を参照して、本発明の幾つかの実施形態に係る拡張走査深さ多重化のた
めの多経路遅延線を含む携帯プローブについて説明する。特に、図１６は、図１４および
図１５の携帯プローブの撮像の深さの想定しえる限界を扱うための方法を示している。
一連の多経路遅延要素６２０、６２１、６２２および６２３を基準アームおよびサンプ
ルアームに共通の光路の一部（あるいは、干渉計のソースアームまたは検出アーム）に配
置することにより、サンプル内の大きく変化する深さからの反射が、使用されるＯＣＴシ
ステム、ＴＤＯＴＣまたはＳＤＯＣＴの利用可能な深さ走査範囲へと多重化されてもよい
。そのような多経路遅延要素の一例は、コモンモード経路に配置されるファブリー・ペロ
ー光キャビティである。ファブリー・ペローキャビティは、図１６に示されるように別個
の反射要素から構成されてもよく、あるいは、部分反射コーティングを両側に有する単一
の光学素子（例えば、ガラスミラーブランク）から構成されてもよい。光キャビティの長
さは、サンプル内の予期される反射の深さによって決定されてもよい。例えば、角膜−レ
ンズ光学距離および角膜−網膜光学距離が測定される眼のＡ−走査を行なうことが望まし
い場合には、２つの光キャビティが使用されてもよい。この場合、一方の光キャビティは
、角膜−レンズ距離の半分＋何らかのオフセットα／２（（ａ＋α）／２）に等しい長さ
を有し、他方の光キャビティは、角膜−網膜距離の半分＋何らかのオフセットβ／２（（
ｂ＋β）／２）に等しい長さを有する。反射を伴うことなく両方のキャビティを通じて直
接に伝えられる入射光の一部は、通常通り、角膜（ＤＣに位置される）の前方および角膜
の後方からのＡ−走査反射を生み出す。第１のキャビティを通じた付加的な往復を要する
入射光の部分は、（ａ＋α）に等しい付加的な群遅延を得るとともに、角膜の前面からの
反射後、ＤＣオフセット値がαのレンズの前面から反射する光と干渉することができる。
同様に、第２のキャビティを通じた付加的な往復を要する入射光の部分は、（ｂ＋β）に
等しい付加的な群遅延を得ることができ、角膜の前面からの反射後、ＤＣオフセット値が
βの網膜から反射する光と干渉することができる。この概念を拡張させることにより、任
意の経路長における多くの独立の反射が、使用されるＯＣＴシステムの利用可能な走査範
囲へと多重化されてもよい。マイナスの距離で、更なるファブリー・ペローキャビティ自
体を備える別個の個々のファブリー・ペローキャビティ間の間隔から生じる更なる寄生的
相関関係が生み出されてもよいが、これらの寄生キャビティから生じる相関関係が、キャ
ビティの適切な間隔だけ所望の撮像範囲から外れて置かれてもよい。また、内部反射間で
所定の自己相関アーティファクトが生み出されてもよいが、これらの内部反射は、前側の
角膜反射が大きなファクタ分だけ全ての他の反射を決定付けるようにすることにより改善
されてもよい。サンプル自体内の反射を使用してこれを達成できない場合には、マルチ距
離多重化のためのこの同じ概念が、反射要素が特にこの目的のために設計されてもよい図
１４に示される携帯プローブに対して適用されてもよい。
【００６５】
以上は、本発明の例示であり、本発明を限定するものと解釈されるべきではない。本発
明の幾つかの典型的な実施形態について説明してきたが、当業者であれば容易に分かるよ
うに、これらの典型的な実施形態においては、本発明の新規な教示および利点から大いに
逸脱することなく、多くの変形が可能である。したがって、そのような全ての変形は、請
求項に規定される本発明の範囲内に含まれると意図される。請求項において、ミーンズプ
ラスファンクション節は、列挙された機能を実行する本明細書に記載された構造および構
造等価物だけでなく等価な構造をも網羅すると意図される。したがって、前述の説明が本
発明の例示であって開示された特定の実施形態に限定されるものと解釈されるべきではな
く、また、開示された実施形態の変形および他の実施形態が添付の請求項の範囲内に含め
られると意図されることは言うまでもない。本発明は以下の請求項によって規定され、請
求項の等価物は本発明に含められる。
【図１】
2013056171.tif 000003
【図２】
2013056171.tif 000004
【図３】
2013056171.tif 000005
【図４】
2013056171.tif 000006
【図５】
2013056171.tif 000007
【図６】
2013056171.tif 000008
【図７】
2013056171.tif 000009
【図８】
2013056171.tif 000010
【図９】
2013056171.tif 000011
【図１０】
2013056171.tif 000012
【図１１】
2013056171.tif 000013
【図１２】
2013056171.tif 000014
【図１３】
2013056171.tif 000015
【図１４】
2013056171.tif 000016
【図１５】
2013056171.tif 000017
【図１６】
2013056171.tif 000018